(57)【要約】【課題】無機質板の剥離または脱落を外部から目視で容易に判断することができる無機質板の固定構造、無機質板の固定方法、およびそのための固定具の提供。【解決手段】固定構造は、被施工面と、接着剤により被施工面に接着された無機質板２と、被施工面と無機質板２とを接続する固定具１と、を備えてなる固定構造であって、固定具１は、無機質板２に係止された係止部１１２を有する係止部材１１と、係止部材１１と被施工面とを接続し伸展可能な状態で被施工面と無機質板２との間に挟設された接続部材１２と、を有し、無機質板２は、固定具１と、接着剤により形成された接着層と、を介して被施工面に固定され、固定具１のうちで係止部１１２以外の部分の厚さは、接着層の厚さよりも薄いことを特徴とする。【選択図】図１
2018084073.tif 000002
【特許請求の範囲】
【請求項１】
被施工面と、接着剤により前記被施工面に接着された無機質板と、前記被施工面と前記無機質板とを接続する固定具と、を備えてなる固定構造であって、
前記固定具は、
前記無機質板に係止された係止部を有する係止部材と、
前記係止部材と前記被施工面とを接続し伸展可能な状態で前記被施工面と前記無機質板との間に挟設された接続部材と、
を有し、
前記無機質板は、前記固定具と、前記接着剤により形成された接着層と、を介して前記被施工面に固定され、
前記固定具のうちで前記係止部以外の部分の厚さは、前記接着層の厚さよりも薄いことを特徴とする固定構造。
【請求項２】
前記接続部材は、引張荷重を受けると前記引張荷重を受ける前よりも長くなる伸展部を有することを特徴とする請求項１に記載の固定構造。
【請求項３】
前記伸展部は、前記無機質板が前記接着剤により前記被施工面に接着された状態において折り畳まれてなる帯材であって前記引張荷重を受けると展開する帯材であることを特徴とする請求項２に記載の固定構造。
【請求項４】
前記伸展部は、前記無機質板が前記接着剤により前記被施工面に接着された状態において弛緩されてなる線材であって前記引張荷重を受けると少なくとも一部が張った状態になる線材であることを特徴とする請求項２に記載の固定構造。
【請求項５】
前記伸展部は、切り込みが設けられた板材であって前記引張荷重を受けると前記切り込みにより形成された長尺部分が展開し広がることで拡張する板材であることを特徴とする請求項２に記載の固定構造。
【請求項６】
前記伸展部は、複数の部材が互いに連結されたジョイント構造を有し、前記引張荷重を受けると前記複数の部材のうちの少なくともいずれかの部材が前記複数の部材のうちの少なくとも他のいずれかの部材に対してスライドすることで伸展可能とされてなることを特徴とする請求項２に記載の固定構造。
【請求項７】
前記被施工面に締結された前記接続部材の端部は、前記係止部材で係止された前記無機質板の裏面が前記被施工面に対向した領域に設けられたことを特徴とする請求項１〜６のいずれか１項に記載の固定構造。
【請求項８】
固定具を用いて無機質板を被施工面に固定する固定方法であって、
前記固定具は、
前記無機質板に係止される係止部を有する係止部材と、
一方の端部が前記係止部材に接続された接続部材と、
を有し、
前記係止部を挿入可能な孔または溝を裏面に有する無機質板を用意する工程（ｉ）と、
前記係止部を前記孔または溝に挿入し前記係止部材で前記無機質板を係止する工程（ｉｉ）と、
前記接続部材の他方の端部を前記被施工面に締結する工程（ｉｉｉ）と、
前記係止部材で係止された前記無機質板を接着剤により前記被施工面に接着するとともに前記接続部材を伸展可能な状態で前記被施工面と前記無機質板との間に挟設する工程（ｉｖ）と、
を含んでなることを特徴とする固定方法。
【請求項９】
前記工程（ｉｉｉ）は、前記係止部材で係止された前記無機質板の裏面が前記被施工面に対向する領域に、前記被施工面に締結される前記接続部材の端部を設ける工程を含んでなることを特徴とする請求項８に記載の固定方法。
【請求項１０】
請求項１〜７のいずれか１項に記載の前記固定構造に用いられる固定具であって、
前記無機質板に係止される係止部を有する係止部材と、
前記係止部材と前記被施工面とを接続し伸展可能な状態で前記被施工面と前記無機質板との間に挟設される接続部材と、
を備えたことを特徴とする固定具。
【請求項１１】
前記接続部材は、引張荷重を受けると前記引張荷重を受ける前よりも長くなる伸展部を有することを特徴とする請求項１０に記載の固定具。
【請求項１２】
前記伸展部は、前記無機質板が前記接着剤により前記被施工面に接着されるときに折り畳まれてなる帯材であって前記引張荷重を受けると展開する帯材であることを特徴とする請求項１１に記載の固定具。
【請求項１３】
前記伸展部は、前記無機質板が前記接着剤により前記被施工面に接着されるときに弛緩されてなる線材であって前記引張荷重を受けると少なくとも一部が張った状態になる線材であることを特徴とする請求項１１に記載の固定具。
【請求項１４】
前記伸展部は、切り込みが設けられた板材であって前記引張荷重を受けると前記切り込みにより形成された長尺部分が展開し広がることで拡張する板材であることを特徴とする請求項１１に記載の固定具。
【発明の詳細な説明】
【技術分野】
【０００１】
本発明は、無機質板、とりわけ薄型で大型の陶磁器板が壁などに固定された固定構造、無機質板を壁などに固定する固定方法、およびそのための固定具に関する。
【背景技術】
【０００２】
内装または外装材としてタイルなどの無機質板が広く用いられている。これら無機質板の被施工面への固定は、接着剤やモルタルなどで張り付けることにより行われる。さらに、最近では目地を少なくでき、施工の簡略化や意匠の多様化を実現可能な大型陶磁器板が実用化され広く利用されてきており、このような大型陶磁器板についてもその施工は接着剤などによる張付けが一般的である。
【０００３】
このような無機質板、とくに大型陶磁器板を壁面などに施工する場合、接着剤の経年劣化により無機質板の剥離や割れが発生しても、剥落および剥落に伴う被害を抑止することが必要になる。大型陶磁器板は薄型とされ軽量化されているものが多いが、薄物大型陶磁器板を特に内装材として用いる場合には、剥落および剥落に伴う被害を抑止可能な施工システムが重要になる。
【０００４】
このような施工システムとして、接着剤などによる接着に加えて、特定の構造を有する固定具を用いて無機質板を被施工面に固定することが行われている。特許文献１には、板状建材裏面に円形穴が形成され、掛止金具のコイル状の線状端部が円形穴内に嵌入され且つ円形穴内周面との摩擦力にて固定されている掛止金具付板状建材が開示されている。
【０００５】
しかし、特許文献１に記載された掛止金具付板状建材では、掛止金具自体には遊びがない。そのため、万が一、板状建材と被施工面とを接着する接着剤の機能が無くなり、板状建材が被施工面に接着されていない状態になった場合であっても、板状建材は、被施工面から離れず、掛止金具により被施工面に固定されたままである。そのため、特許文献１に記載された掛止金具付板状建材において、接着剤の機能が無くなったことを外部から見た目で判断することは困難である。
【０００６】
また、特許文献２には、接着剤および留め付け補助具によって壁下地に留め付けられる建築板の施工構造が開示されている。特許文献２に記載された留め付け補助具は、上係止片と、下係止片と、上係止片と下係止片とを連結する連結部と、を備えている。留め付け補助具の下係止片は、建築板の裏面に形成された係止溝に嵌合されている。留め付け補助具の上係止片は、建築板と壁下地との間に形成される接着層の間に係合されている。
【０００７】
しかし、特許文献２に記載された留め付け補助具自体には遊びがない。そのため、万が一、建築板と壁下地とを接着する接着剤の機能が無くなり、建築板が壁下地に接着されていない状態になった場合であっても、建築板は、壁下地から離れず、留め付け補助具により壁下地に固定されたままである。そのため、特許文献２に記載された建築板の施工構造において、接着剤の機能が無くなったことを外部から見た目で判断することは困難である。
【０００８】
例えば建材や建築板としての無機質板と被施工面とを接着する接着剤の機能が無くなった状態において、無機質板に対して外部から衝撃が加わると、無機質板の破片が落下するおそれがある。そのため、接着剤の機能が無くなった場合には、早急な補修対応が必要になる。しかし、接着剤の機能が無くなったことを外部から見た目で判断することが困難である場合には、接着剤の機能が無くなったことに長期間にわたって気付かないおそれがある。そうすると、早急な補修対応を行うことができないおそれがある。
【先行技術文献】
【特許文献】
【０００９】
【特許文献１】特開平８−６８１８３号公報
【特許文献２】特開２０１０−２３６２６２号公報
【発明の概要】
【発明が解決しようとする課題】
【００１０】
本発明は、前記課題を解決するためになされたものであり、無機質板の剥離または脱落を外部から目視で容易に判断することができる無機質板の固定構造、無機質板の固定方法、およびそのための固定具を提供することを目的とする。
【課題を解決するための手段】
【００１１】
そして、本発明による固定構造は、被施工面と、接着剤により前記被施工面に接着された無機質板と、前記被施工面と前記無機質板とを接続する固定具と、を備えてなる固定構造であって、
前記固定具は、
前記無機質板に係止された係止部を有する係止部材と、
前記係止部材と前記被施工面とを接続し伸展可能な状態で前記被施工面と前記無機質板との間に挟設された接続部材と、
を有し、
前記無機質板は、前記固定具と、前記接着剤により形成された接着層と、を介して前記被施工面に固定され、
前記固定具のうちで前記係止部以外の部分の厚さは、前記接着層の厚さよりも薄いことを特徴とする。
【００１２】
また、本発明による固定方法は、固定具を用いて無機質板を被施工面に固定する固定方法であって、
前記固定具は、
前記無機質板に係止される係止部を有する係止部材と、
一方の端部が前記係止部材に接続された接続部材と、
を有し、
前記係止部を挿入可能な孔または溝を裏面に有する無機質板を用意する工程（ｉ）と、
前記係止部を前記孔または溝に挿入し前記係止部材で前記無機質板を係止する工程（ｉｉ）と、
前記接続部材の他方の端部を前記被施工面に締結する工程（ｉｉｉ）と、
前記係止部材で係止された前記無機質板を接着剤により前記被施工面に接着するとともに前記接続部材を伸展可能な状態で前記被施工面と前記無機質板との間に挟設する工程（ｉｖ）と、
を含んでなることを特徴とする。
【００１３】
また、本発明による固定具は、上記の前記固定構造に用いられる固定具であって、
前記無機質板に係止される係止部を有する係止部材と、
前記係止部材と前記被施工面とを接続し伸展可能な状態で前記被施工面と前記無機質板との間に挟設される接続部材と、
を備えたことを特徴とする。
【発明の効果】
【００１４】
本発明によれば、無機質板の剥離または脱落を外部から目視で容易に判断することができる無機質板の固定構造、無機質板の固定方法、およびそのための固定具を提供することができる。
【図面の簡単な説明】
【００１５】
【図１】本発明の実施形態に係る固定構造を説明する斜視図である。
【図２】本実施形態に係る固定構造を図１に表した矢印Ａ１１の方向からみたときの断面図である。
【図３】無機質板の剥離または脱落が生じた状態を例示する断面図である。
【図４】本実施形態の変形例に係る固定構造を説明する斜視図である。
【図５】接続部材の第１変形例を表す平面図である。
【図６】接続部材の第２変形例を表す斜視図である。
【図７】接続部材の第３変形例を表す斜視図である。
【図８】接続部材の第４変形例を表す斜視図である。
【図９】接続部材の第５変形例を表す斜視図である。
【図１０】本変形例の接続部材が用いられた固定構造を表す断面図である。
【図１１】接続部材の第６変形例を表す断面図である。
【図１２】無機質板が被施工面に固定された構造物を表す斜視図である。
【発明を実施するための形態】
【００１６】
以下に、本発明の好ましい実施形態を、図面を参照して詳しく説明する。
なお、以下に説明する実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図面中、同様の構成要素には同一の符号を付して詳細な説明は適宜省略する。
【００１７】
発明の基本態様
図１および図２に示される本発明による態様の一つは固定構造に関し、本固定構造は、被施工面３と、接着剤により被施工面３に接着された無機質板２と、被施工面３と無機質板２とを接続する固定具１と、を備えてなる。また、本発明のまた別の態様は、固定具１を用いて無機質板２を被施工面３に固定する固定方法に関する。また、本発明のまた一つの別の態様は、被施工面３と、接着剤により被施工面３に接着された無機質板２と、を接続する固定具１に関する。そして、固定具１は、伸展可能な接続部材１２を備え、この接続部材１２の存在を介して無機質板２は被施工面３に固定される。ここで、図３に示されるような、無機質板２と被施工面３との間の接着がその機能を失い、無機質板２が被施工面３から剥離する事態に至っても、伸展可能な接続部材１２を備える固定具１が依然として無機質板２を被施工面３に接続した状態とし脱落を防ぐ。これと同時に、無機質板２が被施工面３から離れ被施工面３に保持された状態は外部から容易に目視で確認することでき、つまり接着の機能が無くなったことに容易に気付くことができ、早急な補修対応を可能にする。このように、本発明は、無機質板２の剥落および剥落に伴う被害を抑止することができるとの優れた利点を有するものである。
以下、定義を述べた後、本発明による固定構造、固定方法、および固定具のさらに詳細を説明する。
【００１８】
定義
無機質板
本発明による固定構造、固定方法またはそのための固定具によって、後記する被施工面に固定される無機質板は、例えば陶磁器、石、またはガラスからなるものである。本発明の一つの態様によれば、無機質板は、平板として、外装または内装の壁、床、天井の仕上げ材や、キャビネット面材やカウンターの仕上げ材に好ましく用いられる。従って、無機質板は、好ましくは意匠が施された化粧面と、被施工面に張り付けられる裏面とを備える。また、その大きさは限定されないが、本発明による固定方法は、後記するとおり、無機質板の被施工面への二重化された固定方法とすることができることから、比較的大型の無機質板、とりわけ薄型で大型の無機質板に対して好ましく適用される。本発明の一つの態様によれば、無機質板は短辺３００ｍｍを超えるものであり、９００ｃｍ２を超える面積を有するものである。無機質板の短辺の長さは、好ましくは６００ｍｍ以上、より好ましくは９００ｍｍ以上である。
【００１９】
さらに本発明による固定構造、固定方法またはそのための固定具は、比較的薄い無機質板に好ましく適用できる。薄い無機質板に適用されるに際し、後記する無機質板の被施工面への二重化された固定方法の一つである接着に用いられる接着剤により、無機質板と被施工面との間に形成される接着層の厚さが薄い方が好ましい。大型の陶磁器板では軽量化のため、例えば厚さは３ｍｍ以上１５ｍｍ程度まで、好ましくは１０ｍｍ程度まで、より好ましくは８ｍｍ程度までとされる。
【００２０】
本発明において無機質板は、その表面に釉薬層を有していてもよい。釉薬の成分は特に限定されない。釉薬層の形成は、成形後に施釉し、成形体と一体的に焼成するか、または、焼成体（仮焼体）に施釉した後に焼成するか、いずれかの方法を用いてもよい。さらに、施釉の前後に乾燥工程を設けてもよい。
【００２１】
孔または溝
本発明による固定構造、固定方法またはそのための固定具によって、後記する被施工面に固定される無機質板は、孔または溝を有し、好適には、非貫通孔または溝を一方の面（裏面）、すなわち施工面に有する。非貫通とは、施工面から深さ方向に掘り下げられて孔または溝が形成されるが、化粧面にまで至らない状態を意味する。孔または溝の幅は、施工面からの深さよりも大であってもよく、小であってもよい。孔または溝の施工面に沿った長さが幅に対して大であり、かつ、その幅が５ｍｍ程度までのものをスリットと称する。
【００２２】
スリット
本発明による固定構造、固定方法またはそのための固定具が適用される無機質板は、孔または溝の一態様としてスリットを裏面に有する。本発明において、無機質板が有するスリットとは、溝、典型的には深さ方向に所定の長さを有する凹条を意味する。スリットは、裏面から深さ方向に向かって形成されるが、化粧面にまで至らない状態であることが好ましい。例えば、図１に示す態様によれば、無機質板２は、孔または溝の一態様としてスリット２２を有する。スリット２２は、無機質板２の裏面２１から深さ方向に所定の傾斜角をつけて形成されている。スリットの形成は、切削、堀削、あるいは成形などにより行われてよい。
【００２３】
但し、孔または溝は、スリットには限定されない。例えば、裏面を正面視したときの孔の形状は、円形、矩形、楕円、三角形、四角形、または多角形様であってもよい。また、溝とは、スリットの幅よりも大きい幅を有する線状の凹部を意味するが、孔と溝とは、本発明において明確に区別される必要はなく、例えば楕円の非貫通孔が横長に形成されて溝と解されるような形状であってもよい。後記する係止部材の係止部が挿入かつ係止可能である限りにおいて、孔または溝と呼ぶ。また、溝はその端において閉じずに、無機質板の端部にまで至り、その側面に凹みを形成するものであってよいが、無機質板の強度を維持する観点からは、その端は閉じて、無機質板の端部にまで溝が至らない構成が好ましいと考えられる。
【００２４】
孔または溝の深さ方向の形状は、施工面に対して垂直とされた形状であってもよく、また入り口、すなわち開口部の開口面積よりも孔の奥における開口面積が大とされた、アリ穴、つまり逆ハの字の形状であってもよい。また、入り口部より深さ方向に一定の距離の間、開口面積が変化せず、さらに深い位置では開口面積を入り口の開口面積より大とされた形状であってもよい。
【００２５】
無機質板の強度等への影響からすると、非貫通孔または溝の深さは、無機質板の深さ方向、すなわち裏面から化粧面へ向かう方向の距離換算で無機質板の厚さのほぼ半分乃至それ以下とされることが望ましい。本発明による固定構造、固定方法またはそのための固定具は、とりわけこのような薄い無機質板における比較的浅い非貫通孔または溝に対して有利に用いられる。具体的には、例えば、非貫通孔または溝の一態様として設けられたスリットの深さが１ｍｍ以上５ｍｍ以下であるような無機質板に対して有利に用いられる。また、スリットの幅（つまり、条に沿った方向を垂直断面視したときの幅）は固定具１の係止部が挿入かつ係止可能である限りにおいて特に制限されないが、無機質板の裏面とスリットとのなす角が鋭角であることが好ましい。これにより、裏面とスリットのなす角が鋭角になる側を上方に向けて施工することで、係止部の係止力が高まる。また、スリットの長さ（つまり、条に沿った方向の長さ）は無機質板の強度が確保できる限りにおいて、特に限定されない。また、スリットはその端が無機質板の端部に達していないことが好ましい。殊に薄型で大型の無機質板は、スリットを起点として割れが生じやすくなるため、例えば図１に示すように、スリット端が無機質板の端部から離れていることが好ましい。
【００２６】
被施工面
本発明において、外装もしくは内装の壁、または建築物の垂直面または傾斜面であって、本発明による固定構造、固定方法またはそのための固定具によって無機質板が固定される表面を「被施工面」という。また、被施工面の内側に配置される、柱などの躯体や、間柱、ライトゲージスチール（ＬＧＳ）等のスタッド、またはパネルフレームなどを「下地」という。
【００２７】
本発明による固定構造
本発明による固定構造は、被施工面と、接着剤により前記被施工面に接着された無機質板と、前記被施工面と前記無機質板とを接続する固定具と、を備えてなる固定構造であって、
前記固定具は、
前記無機質板に係止された係止部を有する係止部材と、
前記係止部材と前記被施工面とを接続し伸展可能な状態で前記被施工面と前記無機質板との間に挟設された接続部材と、
を有し、
前記無機質板は、前記固定具と、前記接着剤により形成された接着層と、を介して前記被施工面に固定され、
前記固定具のうちで前記係止部以外の部分の厚さは、前記接着層の厚さよりも薄いことを特徴とする。
【００２８】
本発明による固定構造に用いられる固定具について以下に説明する。
【００２９】
固定具
本発明による固定具１は、無機質板２、好ましくは大型無機質板、より好ましくは薄物大型無機質板を被施工面３に固定するために用いられるものであり、係止部材１１と、接続部材１２と、を有する。図２に表したように、無機質板２は、固定具１により被施工面３に固定されている。本発明の好ましい態様によれば、固定具１は金属を加工してなる金具である。金具は良好な強度を有し、施工性を向上させる。また、固定具１が金具であることにより、無機質板２との良好な係止力、被施工面３との良好な固定力が確保される。
【００３０】
係止部材
係止部材１１は、係止部１１２を有し、好適には、係止部本体１１１と、係止部１１２と、を有する。係止部１１２は、係止部本体１１１の両端部に設けられ、図１に表した矢印Ａ１のように、無機質板２の裏面２１に形成されたスリット２２に挿入され係止可能とされている。具体的には、図１に表したように、係止部１１２は、第１係止部１１２ａと、第２係止部１１２ｂと、を有する。第１係止部１１２ａは、係止部本体１１１の一方の端部に設けられ、無機質板２の裏面２１に形成されたスリット２２のうちの第１スリット２２１に係止可能とされている。第２係止部１１２ｂは、係止部本体１１１の他方の端部に設けられ、無機質板２の裏面２１に形成されたスリット２２のうちの第２スリット２２２に係止可能とされている。そして、図１に表した矢印Ａ１のように、まず無機質板２の裏面２１に対して垂直方向に係止部１１２をスリット２２に挿入し、続いてスリット２２同士の間隔が広がる方向に係止部材１１をスライドさせることで、係止部材１１が無機質板２に係止される。なお、無機質板２に対する係止部材１１の係止態様は、図１に表した態様だけには限定されない。
【００３１】
係止部材１１は板状物であり、好ましくは金属板を加工してなる板である。係止部材１１は、板状物であることにより、変形しにくく、良好な強度を有する。さらに、施工時の作業が容易となる。
【００３２】
なお、図１および図２に表した係止部材１１の形態は、一例であり、係止部材１１が無機質板２に係止される限りにおいて、これだけには限定されない。例えば、係止部１１２およびスリット２２が延びる方向は、図１に表した方向に対して略垂直方向（例えば水平方向）に延びていてもよい。あるいは、係止部１１２は、第１係止部１１２ａと、第２係止部１１２ｂと、を有することには限定されず、１つの係止部として形成されていてもよい。
【００３３】
接続部材
接続部材１２は、係止部材１１と、被施工面３と、の間に設けられ、係止部材１１と被施工面３とを接続する。図１に表した接続部材１２は、好ましくは金属板を加工してなる板状物であり、具体的には帯状の板材（帯材）である。また、接続部材１２は、板状物であることにより、変形しにくく、良好な強度を有する。さらに、施工時の作業が容易となる。
【００３４】
接続部材１２は、一方の端部１２２において係止部材１１に連結されている。例えば、図１に表したように、接続部材１２は、折り返して形成された一方の端部１２２において係止部材１１に引っ掛けられている。なお、接続部材１２は、係止部材１１に一体的に設けられていてもよく、接着剤やロウ付けにより係止部材１１に接着されていてもよく、リベットで係止部材１１に留められていてもよい。また、接続部材１２は、一方の端部１２２とは反対側の他方の端部１２３に設けられた孔１２４を有する。図１に表したように、固定部品１４が接続部材１２の孔１２４を通して被施工面３に結合され、接続部材１２の他方の端部１２３が被施工面３に締結されることにより、無機質板２が固定具１を介して被施工面３に固定される。
【００３５】
図１に表したように、接続部材１２は、一方の端部１２２と他方の端部１２３との間に設けられた伸展部１２１を有する。伸展部１２１は、引張荷重を受けると、その引張荷重を受ける前よりも長くなる。図２に表したように、接続部材１２は、伸展可能な状態で被施工面３と無機質板２との間に挟設されている。具体的には、接続部材１２の伸展部１２１は、無機質板２が接着剤により被施工面３に接着された状態において折り畳まれてなる帯材であって、引張荷重を受けると展開する帯材である。伸展部１２１が伸展した状態の詳細については、後述する。また、接続部材１２は複数の部材で構成されてなるものであってもよく、例えば、伸展部１２１と被施工面３に締結される部分とが異なる部材で構成されてなるものであってもよい。
【００３６】
接着剤による固定手段と、固定具による固定手段と、の２つの手段を用いて無機質板を被施工面に固定する固定方法においては、無機質板と被施工面との間に適用される接着剤および固定具は互いの効果を阻害しないことが望ましく、とりわけ薄物大型無機質板の固定にあっては、接着剤の使用量を少なくして、薄い接着層を形成することが好ましい。固定具において、係止部以外の部分が無機質板と被施工面との間に収まるような、とりわけ薄物大型無機質板への適用度が高い、厚さの薄い固定具とすることで、接着層の接着力を阻害することなく、自身の固定力を発揮しながら、無機質板と被施工面との間に安定して高い固定強度を確保することができる。
【００３７】
本発明によれば、本発明による固定具１は、無機質板２を被施工面３に固定するために、接着剤とともに用いられる。すなわち、無機質板２は、固定具１と、接着剤により形成された接着層４と、を介して被施工面３に固定される。後述するように、無機質板２は、接着剤を被施工面３または無機質板２の裏面２１に、好ましくは全面塗布して、被施工面３に張り付けられる。接着剤からなる接着層４により、無機質板２は接着という手段によって被施工面３に固定される。
【００３８】
このとき、図２に表したように、固定具１の係止部１１２を除いた部分、すなわち固定具１の、係止部１１２を除いた係止部材１１（係止部本体１１１）と接続部材１２とからなる部分の厚さが、接着層４の厚さよりも薄い。張り付け後の接着層４の厚さよりも、固定具１の係止部１１２を除いた部分の厚さを薄くすることにより、無機質板２と被施工面３との間に固定具１を収めることが可能となる。また、固定具１の係止部１１２を除いた部分の厚さを接着層４の厚さより薄くすることにより、被施工面３に固定された無機質板２の上側にある固定具１を覆うように、他の無機質板２を張り付けることが可能となる。なお、後述するように、被施工面３に締結された接続部材１２の他方の端部１２３は、係止部材１１で係止された無機質板２の裏面２１が被施工面３に対向した領域に設けられることが好ましい。言い換えれば、固定具１は、その固定具１の係止部材１１で係止された無機質板２の範囲内において、無機質板２と被施工面３との間に挟設されることが好ましい。
【００３９】
これを実現するため、上述したように、固定具１の係止部材１１および接続部材１２は金属板を加工してなる板状物とされ、係止部材１１が無機質板２の裏面２１に面で接することが可能となるとともに、接続部材１２が被施工面３に面で接することが可能となる。これにより、無機質板２と固定具１との係止力が確保されるとともに、被施工面３と固定具１との固定力が確保される。
【００４０】
さらに、固定具１の係止部１１２を除いた部分の厚さを接着層４の厚さより薄くすることにより、接着層４の接着力が良好に維持される。つまり、薄型の固定具１とすることにより、接着剤による接着が阻害されることがない。
【００４１】
接着層４の厚さは、本発明による固定構造、固定方法または固定具１がとりわけ薄型の大型無機質板に好ましく適用されることから、薄いことが好ましい。接着層４の厚さは、例えば０．５ｍｍ以上５ｍｍ以下、好ましくは１．３〜１．７ｍｍとされる。
【００４２】
接着剤としては、無機質板２を被施工面３に接着可能なものであれば限定されないが、合成高分子系の接着剤が好ましい。合成高分子系の接着剤としては、エポキシ系、シリコン系、ウレタン系、アクリル系などが好適に用いられる。これらの接着剤は、常温で液状またはペースト状の接着剤、ホットメルト接着剤、テープ状に成形されたもの、のいずれも好適に使用可能である。
【００４３】
本発明の一つの態様によれば、無機質板２は大型で重いため、例えば図２に表したように、無機質板２の所望な部分、好ましくは下端部と被施工面３との間に、無機質板２の荷重を受けるための荷重受け部品６（例えば、金具）を配置してもよい。これにより、固定具１の係止部１１２に掛かる荷重が荷重受け部品６に分散され、無機質板２をより確実または安定に係止することが可能となる。荷重受け部品６の厚さは、例えば０．８〜１．２ｍｍとされる。
【００４４】
なお、図１に表した例では、ひとつの固定具１がひとつの無機質板２に係止されている。但し、ひとつの無機質板２に係止される固定具１の数は、ひとつには限定されず複数であってもよい。この場合には、例えば、固定具１は、同一方向（例えば水平方向）に並んで配置される。これによれば、複数の固定具１は、複数の固定具１が並んで配置された方向において無機質板２を安定して係止することが可能になる。
【００４５】
図３は、無機質板の剥離または脱落が生じた状態を例示する断面図である。図３（ａ）は、無機質板２が荷重受け部品６に支持された状態で被施工面３から剥離した状態を例示している。図３（ｂ）は、無機質板２が荷重受け部品６から外れた状態で被施工面３から脱落した状態を例示している。図３（ａ）および図３（ｂ）は、本実施形態に係る固定構造を図１に表した矢印Ａ１１の方向からみたときの断面図に相当する。
【００４６】
図１および図２に関して前述したように、無機質板２は、固定具１と、接着剤により形成された接着層４と、を介して被施工面３に固定されている。ここで、接着層を形成する接着剤の経年劣化により、接着剤の機能が無くなり、無機質板が被施工面に接着されていない状態になることがある。接着剤の機能が無くなった状態において、無機質板に対して外部から衝撃が加わると、無機質板の破片が落下するおそれがある。そのため、接着剤の機能が無くなった場合には、早急な補修対応が必要になる。しかし、接着剤の機能が無くなったことを外部から見た目で判断することが困難である場合には、接着剤の機能が無くなったことに長期間にわたって気付かないおそれがある。そうすると、早急な補修対応を行うことができないおそれがある。
【００４７】
これに対して、本実施形態に係る固定構造では、接続部材１２は、伸展可能な状態で被施工面３と無機質板２との間に挟設されている。具体的には、図１および図２に表したように、接続部材１２の伸展部１２１は、無機質板２が接着剤により被施工面３に接着された状態において折り畳まれている。そして、図３（ａ）に表した矢印Ａ２のように、無機質板２が被施工面３から剥離すると、接続部材１２は、引張荷重を受けて展開する。つまり、接続部材１２の伸展部１２１は、引張荷重を受けて、その引張荷重を受ける前よりも長くなる。あるいは、図３（ｂ）に表した矢印Ａ３のように、無機質板２が荷重受け部品６から外れ被施工面３から脱落すると、接続部材１２は、引張荷重を受けて展開する。つまり、接続部材１２の伸展部１２１は、引張荷重を受けて、その引張荷重を受ける前よりも長くなる。
【００４８】
そのため、無機質板２の剥離または脱落が生ずると、無機質板２は、被施工面３から離れ、固定具１により被施工面３に保持された状態になる。これにより、無機質板２および無機質板２の破片が落下することを抑えることができる。また、無機質板２が被施工面３から離れ被施工面３に保持された状態を外部から目視で確認することできるため、無機質板２の剥離または脱落を外部から目視で容易に判断することができる。そして、接着剤の機能が無くなったことに比較的短期間で気付くことができ、早急な補修対応を行うことができる。これにより、無機質板２の剥落および剥落に伴う被害を抑止することができる。
【００４９】
本発明による固定方法
本発明による固定方法は、固定具を用いて無機質板を被施工面に固定する固定方法であって、
前記固定具は、
前記無機質板に係止される係止部を有する係止部材と、
一方の端部が前記係止部材に接続された接続部材と、
を有し、
前記係止部を挿入可能な孔または溝を裏面に有する無機質板を用意する工程（ｉ）と、
前記係止部を前記孔または溝に挿入し前記係止部材で前記無機質板を係止する工程（ｉｉ）と、
前記接続部材の他方の端部を前記被施工面に締結する工程（ｉｉｉ）と、
前記係止部材で係止された前記無機質板を接着剤により前記被施工面に接着するとともに前記接続部材を伸展可能な状態で前記被施工面と前記無機質板との間に挟設する工程（ｉｖ）と、
を含んでなることを特徴とする。
【００５０】
本発明による固定方法を、工程ごとに以下説明する。
【００５１】
無機質板を用意する工程（ｉ）
本発明による固定方法は、裏面２１に孔または溝が形成された無機質板２を用意する工程（ｉ）を含む。図１〜図３に示す態様では、孔または溝の一態様としてスリット２２が形成されている。スリット２２の形成は、固定具１の係止部１１２とスリット２２との良好な係止が実現可能となるように行われる。その方法は特に制限されず、公知の方法が用いられる。スリット２２の形成は施工現場にて行なってもよいが、工場で予め形成しておくことが望ましい。これにより、精度が担保される。
【００５２】
固定具の係止部材で無機質板を係止する工程（ｉｉ）
本発明による固定方法は、孔または溝に固定具１の係止部１１２を挿入して、係止部材１１で無機質板２を係止する工程（ｉｉ）を含む。図１〜図３に示す態様では、孔または溝の一態様としてスリット２２が形成されているため、工程（ｉｉ）では、スリット２２に固定具１の係止部１１２を挿入して、係止部材１１で無機質板２を係止する。これにより、係止部材１１は無機質板２の裏面２１に係止される。
【００５３】
接続部材の他方の端部を被施工面に締結する工程（ｉｉｉ）
本発明による固定方法は、接続部材１２の他方の端部１２３を被施工面３に締結する工程（ｉｉｉ）を含む。この接続部材１２の他方の端部１２３の被施工面３への締結は、公知の手段や方法により行うことができ、例えば固定部品１４（図１参照）を接続部材１２の孔１２４を通して被施工面３に打ち込み、ねじ込み等することにより行うことができる。被施工面３の内側にＬＧＳ等が配置されている場合には、好ましくはＬＧＳ等に到達するように固定部品１４を打ち込みまたはねじ込む。このとき、例えば図３（ａ）に表したように、被施工面３に対する接続部材１２の他方の端部１２３の締結は、接続部材１２の伸展部１２１が伸展した状態で行われる。工程（ｉｉｉ）により、無機質板２が固定具１を介して被施工面３に固定される。
【００５４】
固定部品１４は、後記する接着剤である第一の固定手段の機能が失われたときにも無機質板２を固定することができる強度、つまり二重化された固定手段としての強度を有するものであれば特に限定されず、例えば、タッピンねじ、ドリリングねじ、釘、リベットなどが挙げられる。固定部品１４の頭部の形状は、固定具１全体の厚みを考慮して適宜決定すればよく、特に限定されないが、低頭形状などで不陸とならない形状が好ましい。
【００５５】
図２に表したように、被施工面３に締結された接続部材１２の他方の端部１２３は、係止部材１１で係止された無機質板２の裏面２１が被施工面３に対向した領域に設けられることが好ましい。言い換えれば、固定具１は、その固定具１の係止部材１１で係止された無機質板２の範囲内において、無機質板２と被施工面３との間に挟設されることが好ましい。これによれば、無機質板２の固定構造の補修を行うときに、被施工面３から剥離または脱落した無機質板２に隣接した無機質板２を被施工面３から剥離させなくともよい。そのため、無機質板２の固定構造の補修をより容易に行うことができる。
【００５６】
無機質板を被施工面に接着する工程（ｉｖ）
本発明による固定方法は、係止部材１１で係止された無機質板２を接着剤により被施工面３に接着するとともに接続部材１２を伸展可能な状態で被施工面３と無機質板２との間に挟設する工程（ｉｖ）を含む。接着は、例えば接着剤を用いて行われる。接着剤は無機質板２の裏面２１および被施工面３の少なくともいずれかに塗布され、好ましくは全面に塗布される。接着剤が全面に塗布された場合には、接着面積が最大となるので無機質板２の剥離を抑えることができる。また、伸展部１２１が接着層４に埋設される状態となるので、接着層４への水の浸入が起こりにくく、接着層４の劣化を抑えることができる。接着剤の塗布は、工程（ｉｉ）と工程（ｉｉｉ）との間に行われることが好ましい。例えば、現場施工においては、ペースト状の接着剤を櫛目鏝を用いて、無機質板２の裏面２１および被施工面３の少なくともいずれかに塗付する。また、接着剤の使用量が多くならないように塗布して、厚さの薄い接着層４を形成することが好ましい。これにより、強い接着力を得ることが可能となる。
【００５７】
接着剤が無機質板２の裏面２１および被施工面３の少なくともいずれかに塗付された状態において、無機質板２を被施工面３に張り付ける。このとき、被施工面３に対する無機質板２の張り付けは、接続部材１２の伸展部１２１が収縮されながら行われる。すなわち、作業者は、予め無機質板２の張り付け位置を特定した後に、つまり位置合わせをした後に、伸展した状態の伸展部１２１を縮めながら無機質板２を被施工面３に張り付ける。これにより、図２に表したように、固定具１の接続部材１２は、伸展可能な状態で被施工面３と無機質板２との間に挟設される。そして、固定具１の係止部１１２を除いた部分の厚さが接着層４の厚さよりも薄いため、固定具１の接続部材１２は、伸展可能な状態で接着層４に埋設される。
【００５８】
本発明による固定方法によれば、工程（ｉｉｉ）における固定具１による固定手段と、工程（ｉｖ）おける接着剤による固定手段と、の二つの固定手段により、無機質板２と被施工面３とが固定される。経時的な劣化などで接着力が十分でなくなった場合でも、固定具１を用いた固定手段が存在するため、剥落や、剥落に伴う被害を防ぐことができる。すなわち、本発明によれば、無機質板２の被施工面３への二重化された固定方法が提供される。
【００５９】
さらに、本発明による固定方法によれば、無機質板２の剥離または脱落が生ずると、無機質板２は、被施工面３から離れ、固定具１により被施工面３に保持された状態になる。これにより、無機質板２が被施工面３から離れ被施工面３に保持された状態を外部から目視で確認することできる。そのため、無機質板２の剥離または脱落を外部から目視で容易に判断することができる。そして、接着剤の機能が無くなったことに比較的短期間で気付くことができ、早急な補修対応を行うことができる。これにより、無機質板２の剥落および剥落に伴う被害を抑止することができる。
【００６０】
前記工程（ｉｉ）、前記工程（ｉｉｉ）および前記工程（ｉｖ）は、前記工程（ｉ）の後工程で実施される。なお、前記工程（ｉｉ）と、接着剤を無機質板２の裏面２１に塗布する工程と、はこの順に実施されてもよく、この逆の順に実施されてもよい。
【００６１】
接続部材１２の他方の端部１２３を、係止部材１１で係止された無機質板２の裏面２１が被施工面３に対向した領域の被施工面３に締結する場合には、前記工程（ｉ）、前記工程（ｉｉ）、前記工程（ｉｉｉ）および前記工程（ｉｖ）がこの順に実施されてもよく（以下、実施形態１という）、あるいは、前記工程（ｉ）、前記工程（ｉｉｉ）、前記工程（ｉｉ）および前記工程（ｉｖ）がこの順で実施されてもよい（以下、実施形態２という）。一方で、接続部材１２の他方の端部１２３を、係止部材１１で係止された無機質板２の裏面２１が被施工面３に対向した領域の外側（例えば無機質板２の上側）の被施工面３に締結する場合には、前記実施形態１、または前記実施形態２が実施されてもよく、さらに、前記工程（ｉ）、前記工程（ｉｉ）、前記工程（ｉｖ）、および前記工程（ｉｉｉ）がこの順で実施されてもよい（以下、実施形態３という）。
【００６２】
なお、上記工程（ｉ）および（ｉｉ）が予め実施された状態で工場から出荷され、現場で工程（ｉｉｉ）および（ｉｖ）を実施する態様も、本発明に含まれる。
【００６３】
実施形態１では、接続部材１２の他方の端部１２３を、係止部材１１で係止された無機質板２の裏面２１が被施工面３に対向した領域に設けることができる点で好ましい。また、接続部材１２の他方の端部１２３を被施工面３に締結する工程（ｉｉｉ）と、無機質板２を被施工面３に接着する工程（ｉｖ）と、がこの順に実施されるため、接着剤の塗付を工程（ｉｉｉ）の前に予め行っておくことが好ましい。下地の不陸調整やスリット位置の精度が高い施工においてはこの実施形態１を採用することが可能である。
【００６４】
実施形態２では、接続部材１２の他方の端部１２３を被施工面３に締結する工程（ｉｉｉ）の後工程で、固定具１の係止部材１１で無機質板２を係止する工程（ｉｉ）が実施される。工程（ｉｉ）を行う際には、予め無機質板２の張り付け位置を決定しておくことが好ましい。そして、無機質板２が係止された後、接着工程（ｉｖ）により無機質板２を張り付ける。この実施形態は、伸展部の広がりが小さい固定具を用いる場合に有効である。
【００６５】
実施形態３では、無機質板２を被施工面３に接着する工程（ｉｖ）と、接続部材１２の他方の端部１２３を被施工面３に締結する工程（ｉｉｉ）と、がこの順に実施されるため、殊に現場施工においては、目地通りを美しく仕上げることができる点で好ましい。
【００６６】
本発明の一つの態様によれば、固定具１の係止部材１１で無機質板２を係止する工程（ｉｉ）と、接続部材１２の他方の端部１２３を被施工面３に締結する工程（ｉｉｉ）と、の間に、例えば無機質板２の下端部と被施工面３との間に、無機質板２の荷重を受けるための荷重受け部品（例えば、金具）６を施工してもよい。これにより、接着による第一の固定力が弱まり無機質板２が剥離したときに、スリット２２に荷重が集中するのを分散して破損を防ぐことができる。さらに、場合によっては、固定具１で係止されている無機質板２の上部が被施工面３の手前側に浮き上がる、つまり無機質板２が傾くことで剥離を視認できるので、速やかに修理に着手できる。なお、固定具１の係止部材１１が荷重受け部品６の位置に重複する場合は、荷重受け部品６は好ましくは後施工とされる。
【００６７】
次に、本実施形態の変形例に係る固定構造について説明する。
なお、本変形例の固定構造の構成要素が、図１〜図３に関して前述した実施形態に係る固定構造の構成要素と同様である場合には、重複する説明は適宜省略し、以下、相違点を中心に説明する。
【００６８】
図４は、本実施形態の変形例に係る固定構造を説明する斜視図であり、本変形例の係止部材１１Ａが無機質板２に係止された状態を表している。なお、図４に表した例では、２つの固定具１Ａが無機質板２に係止されているが、ひとつの無機質板２に係止される固定具１の数は特には限定されない。
【００６９】
固定具
本変形例による固定具１Ａは、無機質板２を被施工面３に固定するために用いられるものであり、係止部材１１Ａと、接続部材１２Ａと、を有する。
【００７０】
係止部材
係止部材１１Ａは、係止部を有し、好適には、係止部本体１１１と、係止部と、を有する。図４では、係止部材１１Ａの係止部は、スリット２２に挿入されているため表されていないが、図１および図２に関して前述した係止部１１２と同様である。係止部材１１Ａは板状物であり、好ましくは金属板を加工してなる板である。係止部材１１Ａは、孔１１４を有する。その他の構造は、図１および図２に関して前述した係止部材１１の構造と同様である。
【００７１】
接続部材
接続部材１２Ａは、係止部材１１Ａと、被施工面３と、の間に設けられ、係止部材１１Ａと被施工面３とを接続する。図４に表した接続部材１２Ａは、係止部材１１Ａとは別体として設けられており、好ましくは線状物であり、具体的には線材である。また、接続部材１２Ａは、線状物であることにより、良好な強度を有する。さらに、施工時の作業が容易となる。
【００７２】
接続部材１２Ａの一方の端部１２２は、一方の端部１２２において係止部材１１Ａに連結されている。例えば、接続部材１２Ａの一方の端部１２２は、係止部材１１Ａの孔１１４に通され、任意の連結方法により係止部材１１Ａに取り付けられている。また、接続部材１２Ａの一方の端部１２２とは反対側の他方の端部１２３は、リング状に形成され、孔１２４を有する。固定部品１４が接続部材１２Ａの他方の端部１２３に形成された孔１２４を通して被施工面３に結合され、接続部材１２Ａの他方の端部１２３が被施工面３に締結されることにより、無機質板２が固定具１Ａを介して被施工面３に固定される。
【００７３】
図４に表したように、接続部材１２Ａは、一方の端部１２２と他方の端部１２３との間に設けられた伸展部１２１Ａを有する。伸展部１２１Ａは、引張荷重を受けると、その引張荷重を受ける前よりも長くなる。具体的には、接続部材１２Ａの伸展部１２１Ａは、無機質板２が接着剤により被施工面３に接着された状態において弛緩されてなる線材であって、引張荷重を受けると少なくとも一部が張った状態になる線材である。
【００７４】
本変形例に係る固定構造では、接続部材１２Ａは、伸展可能な状態で被施工面３と無機質板２との間に挟設されている。具体的には、図４に表したように、接続部材１２Ａの伸展部１２１Ａは、無機質板２が接着剤により被施工面３に接着された状態において弛緩されている。そして、無機質板２が被施工面３から剥離したり脱落したりすると、接続部材１２の少なくとも一部は、引張荷重を受けて張った状態になる。つまり、接続部材１２Ａの伸展部１２１Ａは、引張荷重を受けて、その引張荷重を受ける前よりも長くなる。
【００７５】
これにより、無機質板２の剥離または脱落が生ずると、無機質板２が被施工面３から離れ被施工面３に保持された状態を外部から目視で確認することできる。そのため、無機質板２の剥離または脱落を外部から目視で容易に判断することができる。そして、接着剤の機能が無くなったことに比較的短期間で気付くことができ、早急な補修対応を行うことができる。これにより、無機質板２の剥落および剥落に伴う被害を抑止することができる。
【００７６】
次に、接続部材の変形例について説明する。図５は、接続部材の第１変形例を表す平面図である。
【００７７】
本変形例の接続部材１２Ｂは、係止部材１１と、被施工面３と、の間に設けられ、係止部材１１と被施工面３とを接続する。接続部材１２Ｂは、好ましくは金属板を加工してなる板状物である。接続部材１２Ｂの一方の端部１２２は、任意の手段により係止部材１１に連結されている。例えば、接続部材１２Ｂの一方の端部１２２は、折り返して係止部材１１に引っ掛けられていてもよく、接着剤やロウ付け等により係止部材１１に接着されていてもよく、ねじやリベットなどの締結部材により係止部材１１に締結されていてもよい。また、接続部材１２Ｂの一方の端部１２２とは反対側の他方の端部１２３は、孔１２４を有する。固定部品１４が接続部材１２Ｂの他方の端部１２３に形成された孔１２４を通して被施工面３に結合され、接続部材１２Ｂの他方の端部１２３が被施工面３に締結されることにより、無機質板２が固定具を介して被施工面３に固定される。
【００７８】
図５に表したように、接続部材１２Ｂは、一方の端部１２２と他方の端部１２３との間に設けられた伸展部１２１Ｂを有する。伸展部１２１Ｂは、引張荷重を受けると、その引張荷重を受ける前よりも長くなる。具体的には、接続部材１２Ｂの伸展部１２１Ｂは、渦巻き状に形成された板材であり、切り込み１２５を有する。つまり、伸展部１２１Ｂは、切り込み１２５が設けられた板材であって、引張荷重を受けると切り込み１２５により形成された長尺部分が展開し広がることで拡張する板材である。すなわち、伸展部１２１Ｂが引張荷重を受けると、切り込み１２５が開いた状態になる。
【００７９】
接続部材１２Ｂは、伸展可能な状態で被施工面３と無機質板２との間に挟設されている。具体的には、伸展部１２１Ｂの切り込み１２５は、無機質板２が接着剤により被施工面３に接着された状態において閉じている。そして、無機質板２が被施工面３から剥離したり脱落したりすると、伸展部１２１Ｂの切り込み１２５が開いた状態（広がった状態）になる。つまり、接続部材１２Ｂの伸展部１２１Ｂは、引張荷重を受けて、その引張荷重を受ける前よりも長くなる。
【００８０】
本変形例によれば、無機質板２が接着剤により被施工面３に接着された状態において伸展部が折り畳まれているわけではないため、固定具の厚さをより薄くすることができるとともに、接着層４の厚さをより薄くすることができる。
【００８１】
図６は接続部材の第２変形例、図７は接続部材の第３変形例、図８は接続部材の第４変形例をそれぞれ表す斜視図である。
【００８２】
図６〜図８に表した第２〜４変形例の接続部材１２Ｃ、１２Ｄ、１２Ｅは、係止部材１１と、被施工面３と、の間に設けられ、係止部材１１と被施工面３とを接続する。接続部材１２Ｃ、１２Ｄ、１２Ｅは、好ましくは金属板を加工してなる板状物である。接続部材１２Ｃ、１２Ｄ、１２Ｅの一方の端部１２２は、任意の手段により係止部材１１に連結されている。例えば、接続部材１２Ｃ、１２Ｄ、１２Ｅの一方の端部１２２は、折り返して係止部材１１に引っ掛けられていてもよく、接着剤やロウ付け等により係止部材１１に接着されていてもよく、ねじやリベットなどの締結部材により係止部材１１に締結されていてもよい。また、接続部材１２Ｃ、１２Ｄ、１２Ｅの一方の端部１２２とは反対側の他方の端部１２３は、孔１２４を有する。固定部品１４が接続部材１２Ｃ、１２Ｄ、１２Ｅの他方の端部１２３に形成された孔１２４を通して被施工面３に結合され、接続部材１２Ｃ、１２Ｄ、１２Ｅの他方の端部１２３が被施工面３に締結されることにより、無機質板２が固定具を介して被施工面３に固定される。
【００８３】
図６〜図８に表したように、接続部材１２Ｃ、１２Ｄ、１２Ｅは、一方の端部１２２と他方の端部１２３との間に設けられた伸展部１２１Ｃ、１２１Ｄ、１２１Ｅを有する。伸展部１２１Ｃ、１２１Ｄ、１２１Ｅは、引張荷重を受けると、その引張荷重を受ける前よりも長くなる。具体的には、接続部材１２Ｃ、１２Ｄ、１２Ｅの伸展部１２１Ｃ、１２１Ｄ、１２１Ｅは、櫛歯状に形成された複数の切り込み１２５を有する。櫛歯状の複数の切り込み１２５は、互いに向かい合って交互に配置されている。図６に表した接続部材１２Ｃでは、伸展部１２１Ｃに設けられた複数の切り込み１２５は、図６において略横方向に延びている。図７および図８に表した接続部材１２Ｄ、１２Ｅでは、伸展部１２１Ｄ、１２１Ｅに設けられた複数の切り込み１２５は、図７および図８において略縦方向に延びている。伸展部１２１Ｃ、１２１Ｄ、１２１Ｅは、引張荷重を受けると複数の切り込み１２５により形成された長尺部分が展開し広がることで拡張する板材である。すなわち、伸展部１２１Ｃ、１２１Ｄ、１２１Ｅが引張荷重を受けると、切り込み１２５が開いた状態になる。
【００８４】
接続部材１２Ｃ、１２Ｄ、１２Ｅは、伸展可能な状態で被施工面３と無機質板２との間に挟設されている。具体的には、伸展部１２１Ｃ、１２１Ｄ、１２１Ｅの切り込み１２５は、無機質板２が接着剤により被施工面３に接着された状態において閉じている。そして、無機質板２が被施工面３から剥離したり脱落したりすると、伸展部１２１Ｃ、１２１Ｄ、１２１Ｅの切り込み１２５が開いた状態（広がった状態）になる。つまり、接続部材１２Ｃ、１２Ｄ、１２Ｅの伸展部１２１Ｃ、１２１Ｄ、１２１Ｅは、引張荷重を受けて、その引張荷重を受ける前よりも長くなる。
【００８５】
図６〜図８に表した第２〜４変形例によれば、図５に関して前述した第１変形例の効果と同様の効果が得られる。
【００８６】
図９は接続部材の第５変形例を表す斜視図であり、図１０は本変形例の接続部材が用いられた固定構造を表す断面図であり、図１０は本変形例に係る固定構造を図１に表した矢印Ａ１１の方向からみたときの断面図に相当する。
【００８７】
本変形例の固定具１Ｆは、係止部材１１と、接続部材１２Ｆと、を有する。接続部材１２Ｆは、係止部材１１と、被施工面３と、の間に設けられ、係止部材１１と被施工面３とを接続する。接続部材１２Ｆは、複数の部材が互いに連結されたジョイント構造の伸展部１２１Ｆを有する。図９に表した例では、伸展部１２１Ｆは、第１部材１２６ａと、第２部材１２６ｂと、第３部材１２６ｃと、第４部材１２６ｄと、を有する。第１部材１２６ａは、第２部材１２６ｂに連結され、第２部材１２６ｂと、第３部材１２６ｃと、第４部材１２６ｄと、を収納することができる。第２部材１２６ｂは、第３部材１２６ｃに連結され、第３部材１２６ｃと、第４部材１２６ｄと、を収納することができる。第３部材１２６ｃは、第４部材１２６ｄに連結され、第４部材１２６ｄを収納することができる。
【００８８】
第１部材１２６ａは、任意の固定方法により係止部材１１に対して回動自在に連結されている。第４部材１２６ｄは、任意の固定方法により被施工面３に対して回動自在に連結されている。伸展部１２１Ｆは、引張荷重を受けると、その引張荷重を受ける前よりも長くなる。具体的には、伸展部１２１Ｆは、引張荷重を受けると、図９に表した矢印Ａ４のように、第１〜４部材１２６ａ、１２６ｂ、１２６ｃ、１２６ｄのうちの少なくともいずれかが、第１〜４部材１２６ａ、１２６ｂ、１２６ｃ、１２６ｄのうちの少なくとも他のいずれかに対してスライドすることで伸展可能とされてなる。
【００８９】
接続部材１２Ｆは、伸展可能な状態で被施工面３と無機質板２との間に挟設されている。具体的には、図１０（ａ）に表したように、第２〜４部材１２６ｂ、１２６ｃ、１２６ｄは、無機質板２が接着剤により被施工面３に接着された状態において第１部材１２６ａに収納されている。すなわち、伸展部１２１Ｆは、無機質板２が接着剤により被施工面３に接着された状態において収縮している。そして、図１０（ｂ）に表したように、無機質板２が被施工面３から剥離したり脱落したりすると、第２〜４部材１２６ｂ、１２６ｃ、１２６ｄのうちの少なくともいずれかがスライドし、第１部材１２６ａから引き出される。これにより、伸展部１２１Ｆが伸展する。つまり、接続部材１２Ｆの伸展部１２１Ｆは、引張荷重を受けて、その引張荷重を受ける前よりも長くなる。
【００９０】
本変形例の固定具１Ｆは、複数の部材が互いに連結されたジョイント構造の接続部材１２Ｆを有するため、無機質板２と被施工面３との間に高い固定強度を確保し、無機質板２および無機質板２の破片が落下することをより確実に抑えることができる。また、伸展部１２１Ｆの各部材がスライドすることで、無機質板２が被施工面３から離れ被施工面３に保持された状態を外部から目視で確認することできる。そのため、無機質板２の剥離または脱落を外部から目視で容易に判断することができる。
【００９１】
図１１は、接続部材の第６変形例を表す断面図であり、本変形例に係る固定構造を図１に表した矢印Ａ１１の方向からみたときの断面図に相当する。
【００９２】
本変形例の固定具１Ｇは、係止部材１１と、接続部材１２Ｇと、を有する。接続部材１２Ｇは、係止部材１１と、被施工面３と、の間に設けられ、係止部材１１と被施工面３とを接続する。接続部材１２Ｇは、複数の部材が互いに連結されたジョイント構造の伸展部１２１Ｇを有する。図１１に表した例では、伸展部１２１Ｇは、第１部材１２７ａと、第２部材１２７ｂと、第３部材１２７ｃと、を有する。第１部材１２７ａは、第１軸１２７ｄにおいて係止部材１１に対して回動自在に軸支されている。第２部材１２７ｂは、第２軸１２７ｅにおいて第１部材１２７ａに対して回動自在に軸支され、長手方向に沿って延びた孔１２７ｇを有する。第３部材１２７ｃは、上述した固定部品により被施工面３に締結されている。第３部材１２７ｃに設けられた第３軸１２７ｆが第２部材１２７ｂの孔１２７ｇに対して移動可能な状態で嵌まり合っているため、第２部材１２７ｂは、第３部材１２７ｃの第３軸１２７ｆに対してスライド可能とされてなる。
【００９３】
伸展部１２１Ｇは、引張荷重を受けると、その引張荷重を受ける前よりも長くなる。具体的には、伸展部１２１Ｇは、引張荷重を受けると、図１１（ｂ）に表したように、第１部材１２７ａが第１軸１２７ｄを中心として回動するとともに、第２部材１２７ｂが第２軸１２７ｅを中心として回動し第３部材１２７ｃの第３軸１２７ｆに対してスライドすることで、伸展可能とされてなる。
【００９４】
接続部材１２Ｇは、伸展可能な状態で被施工面３と無機質板２との間に挟設されている。具体的には、図１１（ａ）に表したように、第１部材１２７ａと、第２部材１２７ｂと、第３部材１２７ｃと、は無機質板２が接着剤により被施工面３に接着された状態において被施工面３および無機質板２の裏面２１と平行に並んで配置されている。そして、図１１（ｂ）に表したように、無機質板２が被施工面３から剥離したり脱落したりすると、第１部材１２７ａが第１軸１２７ｄを中心として回動するとともに、第２部材１２７ｂが第２軸１２７ｅを中心として回動し第３部材１２７ｃの第３軸１２７ｆに対してスライドする。これにより、伸展部１２１Ｇが伸展する。つまり、接続部材１２Ｇの伸展部１２１Ｇは、引張荷重を受けて、その引張荷重を受ける前よりも長くなる。
【００９５】
本変形例の固定具１Ｇは、複数の部材が互いに連結されたジョイント構造の接続部材１２Ｇを有するため、図９〜図１０（ｂ）に関して前述した固定具１Ｆの効果と同様の効果が得られる。
【００９６】
構造物
図１２は、無機質板が被施工面に固定された構造物を表す斜視図であり、本構造物は、本発明による固定構造を備えた構造物であって、被施工面３と、接着剤により被施工面３に接着された無機質板２と、被施工面３と無機質板２とを接続する固定具１と、を備えてなる構造物である。
【００９７】
図１２に表したように、被施工面３に締結された接続部材１２の他方の端部１２３は、係止部材１１で係止された無機質板２の裏面２１が被施工面３に対向した領域に設けられている。言い換えれば、固定具１は、その固定具１の係止部材１１１で係止された無機質板２の範囲内において、無機質板２と被施工面３との間に挟設されている。これによれば、無機質板２の固定構造の補修を行うときに、被施工面３から剥離または脱落した無機質板２に隣接した無機質板２を被施工面３から剥離させなくともよい。そのため、無機質板２の固定構造の補修をより容易に行うことができる。
【００９８】
なお、ひとつの無機質板２に係止される固定具１の数は特には限定されず、ひとつであってもよく、３つ以上であってもよい。  
【００９９】
以上、本発明の実施形態について説明した。しかし、本発明は、上記実施形態に限定されず、特許請求の範囲を逸脱しない範囲で種々の変更を行うことができる。上記実施形態の構成は、その一部を省略したり、上記とは異なるように任意に組み合わせたりすることができる。
【符号の説明】
【０１００】
１、１Ａ、１Ｆ、１Ｇ・・・固定具、  ２・・・無機質板、  ３・・・被施工面、  ４・・・接着層、  ５・・・下地、  ６・・・荷重受け部品、  １１、１１Ａ・・・係止部材、  １２、１２Ａ、１２Ｂ、１２Ｃ、１２Ｄ、１２Ｅ、１２Ｆ、１２Ｇ・・・接続部材、  １４・・・固定部品、  ２１・・・裏面、  ２２・・・スリット、  １１１・・・係止部本体、  １１２・・・係止部、  １１２ａ・・・第１係止部、  １１２ｂ・・・第２係止部、  １１４・・・孔、  １２１、１２１Ａ、１２１Ｂ、１２１Ｃ、１２１Ｄ、１２１Ｅ、１２１Ｆ、１２１Ｇ  ・・・伸展部、  １２２・・・一方の端部、  １２３・・・他方の端部、  １２４・・・孔、  １２５・・・切り込み、  １２６ａ・・・第１部材、  １２６ｂ・・・第２部材、  １２６ｃ・・・第３部材、  １２６ｄ・・・第４部材、  １２７ａ・・・第１部材、  １２７ｂ・・・第２部材、  １２７ｃ・・・第３部材、  １２７ｄ・・・第１軸、  １２７ｅ・・・第２軸、  １２７ｆ・・・第３軸、  １２７ｇ・・・孔、  ２２１・・・第１スリット、  ２２２・・・第２スリット、  Ａ１、Ａ２、Ａ３、Ａ４、Ａ１１・・・矢印
【図１】
2018084073.tif 000003
【図２】
2018084073.tif 000004
【図３】
2018084073.tif 000005
【図４】
2018084073.tif 000006
【図５】
2018084073.tif 000007
【図６】
2018084073.tif 000008
【図７】
2018084073.tif 000009
【図８】
2018084073.tif 000010
【図９】
2018084073.tif 000011
【図１０】
2018084073.tif 000012
【図１１】
2018084073.tif 000013
【図１２】
2018084073.tif 000014